(57)【要約】【課題】簡易な構成で、住宅内の全体の気温を均一な温度に調整可能な空調システムを提供すること。【解決手段】空調システム１は、第１吸気口４６又は第２吸気口５５を介して導入された住宅１０内の空気を暖房機能により暖めて又は冷房機能により冷やして住宅１０内に供給する空調装置２を備える空調システム１であって、暖房機能を機能させる場合において、第１吸気口４６は、住宅１０内の断熱区画１８における最下部の近傍、若しくは、居住空間又は非居住空間の最下部に配置される仕上げ部の近傍に配置され、冷房機能を機能させる場合において、第２吸気口５５は、住宅１０内の断熱区画１８における最上部の近傍、若しくは、居住空間又は非居住空間の最上部に配置される仕上げ部の近傍に配置される。【選択図】図１
2020079666.tif 000002
【特許請求の範囲】
【請求項１】
第１吸気口又は第２吸気口を介して導入された住宅内の空気を暖房機能により暖めて又は冷房機能により冷やして住宅内に供給する空調装置を備える空調システムであって、
前記暖房機能を機能させる場合において、前記第１吸気口は、前記住宅内の断熱区画における最下部の近傍、若しくは、居住空間又は非居住空間の最下部に配置される仕上げ部の近傍に配置され、
前記冷房機能を機能させる場合において、前記第２吸気口は、前記住宅内の断熱区画における最上部の近傍、若しくは、居住空間又は非居住空間の最上部に配置される仕上げ部の近傍に配置される、
空調システム。
【請求項２】
前記第１吸気口は、前記暖房機能を機能させる場合において、前記住宅が複数階建ての場合における最下階の最下部の近傍又は各階の最下部の近傍、若しくは、前記住宅が平屋建ての場合における最下部の近傍に配置され、
前記第２吸気口は、前記冷房機能を機能させる場合において、前記住宅が複数階建ての場合における最上階の最上部の近傍又は各階の最上部の近傍、若しくは、前記住宅が平屋建ての場合における最上部の近傍に配置される、
請求項１に記載の空調システム。
【請求項３】
前記第１吸気口は、床下に配置され、
前記第２吸気口は、屋根裏に配置される、
請求項１又は２に記載の空調システム。
【請求項４】
前記空調装置は、前記暖房機能及び前記冷房機能の両方の機能を有し、
前記空調装置に導入される空気を、前記第１吸気口又は前記第２吸気口のいずれか一方を介して導入するように切り替え可能な切替部を備える、
請求項１〜３のいずれかに記載の空調システム。
【請求項５】
住宅外の空気を住宅内に導入すると共に、住宅内の空気を住宅外に排出する換気装置を更に備え、
前記換気装置は、住宅外の空気を前記空調装置に導入し、
前記空調装置は、前記換気装置により導入された住宅外の空気を暖房機能により暖めて又は冷房機能により冷やして住宅内に供給する、
請求項１〜４のいずれかに記載の空調システム。
【請求項６】
第１吸気口又は第２吸気口を介して導入された住宅内の空気を暖房機能により暖めて又は冷房機能により冷やして住宅内に供給する空調装置を備える空調システムであって、
前記暖房機能を機能させる場合において、前記第１吸気口は、前記住宅内における最北部の近傍に配置され、
前記冷房機能を機能させる場合において、前記第２吸気口は、前記住宅内における最南部の近傍に配置される、
空調システム。
【請求項７】
前記空調システムのメンテナンスを行うための空調メンテナンス構造を更に備え、
前記空調メンテナンス構造は、
ダクト配置可能空間に設けられ気密性を有する吸気用気密空間と、
一方側が前記吸気用気密空間内において開口した状態で前記吸気用気密空間に接続されると共に、他方側が前記空調装置に直接的に又は間接的に接続されるメンテナンス用ダクトと、
前記吸気用気密空間と住宅内の空間とを連通するように配置される吸気口と、
前記吸気用気密空間の内部において、前記メンテナンス用ダクトにおける前記吸気用気密空間側の端部側の開口を覆うように配置されるフィルターと、
前記吸気用気密空間を開閉可能に構成され、前記フィルターのメンテナンスを行うことが可能な位置に配置されるメンテナンス用扉と、を備える、
請求項１〜６のいずれかに記載の空調システム。
【発明の詳細な説明】
【技術分野】
【０００１】
本発明は、空調システムに関する。
【背景技術】
【０００２】
従来、暖房機能及び冷房機能を有する空調装置を備える空調システムにおいて、１つの空調装置を用いて、一戸建ての住宅の１階及び２階を暖房機能により暖房し、又は、冷房機能により冷房するものが知られている（例えば、特許文献１参照）。
【先行技術文献】
【特許文献】
【０００３】
【特許文献１】特開平１１−３２５５６９号公報
【発明の概要】
【発明が解決しようとする課題】
【０００４】
１つの空調装置を用いて、冬季に一戸建ての住宅の１階及び２階を暖房機能により暖房動作を行った場合に、１階の足元の気温が高くなりにくく、暖房機能の効きが悪いことがある。また、１つの空調装置を用いて、夏季に一戸建ての住宅の１階及び２階を冷房機能により冷却動作を行った場合に、２階の気温が低くなりにくく、冷房機能の効きが悪いことがある。
一方、住宅の１階及び２階の空調の効きを有効にするために、空調装置の暖房能力又は冷房能力を大きくして風量を大きくすると、高価で複雑な制御を要することになり、空調装置が大型化し、コストが高いシステムとなりやすい。
そのため、簡易な構成で、住宅内の全体の気温を均一な温度に調整できることが求められている。
【０００５】
本発明は、簡易な構成で、住宅内の全体の気温を均一な温度に調整可能な空調システムを提供することを目的とする。
【課題を解決するための手段】
【０００６】
本発明は、第１吸気口（例えば、後述の１階側循環ファン吸気口４６）又は第２吸気口（例えば、後述の２階側循環ファン吸気口５５）を介して導入された住宅（例えば、後述の住宅１０）内の空気を暖房機能により暖めて又は冷房機能により冷やして住宅内に供給する空調装置（例えば、後述の空調装置２）を備える空調システム（例えば、後述の空調システム１）であって、前記暖房機能を機能させる場合において、前記第１吸気口は、前記住宅内の断熱区画における最下部の近傍、若しくは、居住空間又は非居住空間の最下部に配置される仕上げ部の近傍に配置され、前記冷房機能を機能させる場合において、前記第２吸気口は、前記住宅内の断熱区画における最上部の近傍、若しくは、居住空間又は非居住空間の最上部に配置される仕上げ部の近傍に配置される空調システムに関する。
【０００７】
また、前記第１吸気口は、前記暖房機能を機能させる場合において、前記住宅が複数階建ての場合における最下階の最下部の近傍又は各階の最下部の近傍、若しくは、前記住宅が平屋建ての場合における最下部の近傍に配置され、前記第２吸気口は、前記冷房機能を機能させる場合において、前記住宅が複数階建ての場合における最上階の最上部の近傍又は各階の最上部の近傍、若しくは、前記住宅が平屋建ての場合における最上部の近傍に配置されることが好ましい。
【０００８】
また、前記第１吸気口は、床下（例えば、後述の床下空間１１４）に配置され、前記第２吸気口は、屋根裏（例えば、後述の屋根裏空間１２５）に配置されることが好ましい。
【０００９】
また、前記空調装置は、前記暖房機能及び前記冷房機能の両方の機能を有し、前記空調装置に導入される空気を、前記第１吸気口又は前記第２吸気口のいずれか一方を介して導入するように切り替え可能な切替部（例えば、後述の切替部８）を備えることが好ましい。
【００１０】
また、住宅外の空気を住宅内に導入すると共に、住宅内の空気を住宅外に排出する換気装置（例えば、後述の換気装置３）を更に備え、前記換気装置は、住宅外の空気を前記空調装置に導入し、前記空調装置は、前記換気装置により導入された住宅外の空気を暖房機能により暖めて又は冷房機能により冷やして住宅内に供給することが好ましい。
【００１１】
また、本発明は、第１吸気口又は第２吸気口を介して導入された住宅内の空気を暖房機能により暖めて又は冷房機能により冷やして住宅内に供給する空調装置を備える空調システムであって、前記暖房機能を機能させる場合において、前記第１吸気口は、前記住宅内における最北部の近傍に配置され、前記冷房機能を機能させる場合において、前記第２吸気口は、前記住宅内における最南部の近傍に配置される空調システムに関する。
【００１２】
また、前記空調システムのメンテナンスを行うための空調メンテナンス構造（例えば、後述の空調メンテナンス構造９、１階側空調メンテナンス構造９１、２階側空調メンテナンス構造９２）を更に備え、前記空調メンテナンス構造は、ダクト配置可能空間（例えば、後述の１階側配管スペース１３１、２階側配管スペース１３３）に設けられ気密性を有する吸気用気密空間（例えば、後述の１階側吸気用気密空間９１１、２階側吸気用気密空間９２１）と、一方側が前記吸気用気密空間内において開口した状態で前記吸気用気密空間に接続されると共に、他方側が前記空調装置に直接的に又は間接的に接続されるメンテナンス用ダクト（例えば、後述の１階側循環吸気ダクトＬ３１、２階側循環吸気ダクトＬ３２）と、前記吸気用気密空間と住宅内の空間とを連通するように配置される吸気口と、前記吸気用気密空間の内部において、前記メンテナンス用ダクトにおける前記吸気用気密空間側の端部側の開口を覆うように配置されるフィルター（例えば、後述の１階側フィルター９１２、２階側フィルター９２２）と、前記吸気用気密空間を開閉可能に構成され、前記フィルターのメンテナンスを行うことが可能な位置に配置されるメンテナンス用扉（例えば、後述の１階側メンテナンス用扉９１３、２階側メンテナンス用扉９２３）と、を備えることが好ましい。
【発明の効果】
【００１３】
本発明によれば、簡易な構成で、住宅内の全体の気温を均一な温度に調整可能な空調システムを提供することができる。
【図面の簡単な説明】
【００１４】
【図１】本発明の第１実施形態に係る空調システムを備える住宅において暖房時の状態を示す図である。
【図２】本発明の第１実施形態に係る空調システムを備える住宅において冷房時の状態を示す図である。
【図３】本発明の第２実施形態に係る空調システムを備える住宅において暖房時及び冷房時の状態を示す図である。
【図４】本発明の第３実施形態に係る空調システムを備える住宅において暖房時及び冷房時の状態を示す図である。
【図５】本発明の第４実施形態に係る空調システムを備える住宅において暖房時及び冷房時の状態を示す図である。
【図６】本発明の第５実施形態に係る空調システムを備える住宅において暖房時及び冷房時の状態を示す図である。
【図７】本発明の第６実施形態を示す空調システムを備える住宅であって、空調装置と換気装置と切替部とを空調ユニットとして一体で構成した場合を示す図である。
【発明を実施するための形態】
【００１５】
＜第１実施形態＞
以下、本発明の空調システム１の第１実施形態について、図面を参照しながら説明する。図１は、本発明の第１実施形態に係る空調システム１を備える住宅１０において暖房時の状態を示す図である。図２は、本発明の第１実施形態に係る空調システム１を備える住宅１０において冷房時の状態を示す図である。
【００１６】
図１及び図２に示すように、第１実施形態の空調システム１は、例えば、２階建ての住宅１０において使用される。住宅１０は、高気密構造で、かつ、高断熱構造で構成される。空調システム１は、高気密構造及び高断熱構造の住宅１０で使用されることで、省電力で使用されることが可能である。なお、本実施形態においては、空調システム１を２階建ての住宅１０に使用する場合を例に説明したが、これに限定されない。空調システムを、例えば、３階建て以上の住宅に使用してもよい。
【００１７】
住宅１０は、図１及び図２に示すように、例えば、屋根１３及び外壁１４を有する２階建て構造で構成される。住宅１０は、屋根１３の下側及び外壁１４の内側に基礎断熱の断熱材が配置され、住宅１０の全体において基礎断熱とする構成である。住宅１０の断熱区画１８は、屋根側断熱ライン１８１と、外壁側断熱ライン１８２と、を備える。屋根側断熱ライン１８１は、屋根１３の下側に屋根１３の傾斜方向に沿って傾斜して配置される断熱材により構成される。外壁側断熱ライン１８２は、外壁１４の内側に配置され屋根１３から地面１０１まで上下方向に延びる断熱材により構成される。住宅１０は、断熱区画１８の内側において断熱される。
【００１８】
住宅１０は、例えば、１階において、１階水回り空間１１１と、１階廊下空間１１２と、１階リビング空間１１３と、床下空間１１４と、を有し、２階において、２階収納空間１２１と、２階第１居住空間１２２と、２階廊下空間１２３と、２階第２居住空間１２４、屋根裏空間１２５と、を有する。
【００１９】
１階においては、１階水回り空間１１１、１階廊下空間１１２、１階リビング空間１１３は、左右方向の一方側から他方側（図１及び図２における左側から右側）に向けてこの順に配置される。各空間１１１，１１２，１１３は、床、壁及び天井に囲まれることにより形成される。１階において、床下空間１１４は、各空間１１１，１１２，１１３の床１６の下方に設けられている。床下空間１１４は、住宅１０における外壁側断熱ライン１８２の内側に位置し、断熱されている。
【００２０】
１階において、１階水回り空間１１１の水回り空間他方側壁面１１１ａと１階廊下空間１１２の一方側壁面１１２ａとの間には、１階側配管スペース１３１が設けられている。
また、１階と２階との間であって１階の各空間１１１，１１２，１１３の天井と２階の各空間１２１，１２２，１２３，１２４の床１７との間には、１階上部側配管スペース１３２が設けられている。
【００２１】
１階水回り空間１１１及び１階廊下空間１１２は、下部において連通路１１５により連通されている。１階水回り空間１１１の空気が１階水回り空間用ファン排気口４１（後述）を介して住宅１０外に排出されているため、連通路１１５には、１階廊下空間１１２の下方側の空気が、１階水回り空間１１１に向けて流れる。
１階廊下空間１１２及び１階リビング空間１１３は、下部において連通路１１６により連通されている。１階廊下空間１１２の空気が１階廊下用排気ファン排気口４２（後述）を介して住宅１０外に排出されているため、連通路１１６には、１階リビング空間１１３の下方側の空気が、１階廊下空間１１２に向けて流れる。
【００２２】
２階においては、２階収納空間１２１、２階第１居住空間１２２、２階廊下空間１２３、２階第２居住空間１２４は、左右方向の一方側から他方側（図１及び図２における左側から右側）に向けてこの順に配置される。各空間１２１，１２２，１２３，１２４は、床、壁及び天井に囲まれることにより形成される。２階において、屋根裏空間１２５は、屋根天井１５と屋根１３との間に配置される。屋根天井１５は、２階収納空間１２１、２階第１居住空間１２２、２階廊下空間１２３、２階第２居住空間１２４の天井の上方に設けられる２階上部側配管スペース１３４の天井を構成する。屋根裏空間１２５は、住宅１０における屋根１３側の屋根側断熱ライン１８１の下側に位置し、断熱されている。なお、屋根裏空間１２５を、小屋裏や天井裏という場合もある。また、屋根裏空間１２５を人が居住する居住スペースとして構成してもよい。
【００２３】
２階において、２階収納空間１２１の他方側収納空間他方側壁面１２１ａと２階第１居住空間１２２の一方側壁面１２２ａとの間には、２階側配管スペース１３３が設けられている。
また、２階の各空間１２１，１２２，１２３，１２４の天井と屋根天井１５との間には、２階上部側配管スペース１３４が設けられている。
【００２４】
２階収納空間１２１及び２階第１居住空間１２２は、下部において連通路１２６により連通されている。２階収納空間１２１の空気が２階収納空間用排気ファン排気口５１（後述）を介して住宅１０外に排出されているため、連通路１２６には、２階第１居住空間１２２の下方側の空気が、２階収納空間１２１に向けて流れる。
２階第１居住空間１２２及び２階廊下空間１２３は、下部において連通路１２７により連通されている。２階廊下空間１２３の空気が２階廊下用排気ファン排気口５３（後述）を介して住宅１０外に排出されているため、連通路１２７には、２階第１居住空間１２２の下方側の空気が、２階廊下空間１２３に向けて流れる。
２階廊下空間１２３及び２階第２居住空間１２４は、下部において連通路１２８により連通されている。２階廊下空間１２３の空気が２階廊下用排気ファン排気口５３（後述）を介して住宅１０外に排出されているため、連通路１２８には、２階第２居住空間１２４の下方側の空気が、２階廊下空間１２３に向けて流れる。
【００２５】
また、本実施形態においては、住宅１０の１階の床１６は、１階の居住空間又は非居住空間の最下部に配置される仕上げ面（仕上げ部）を構成する。住宅１０の２階の床１７は、２階の居住空間又は非居住空間の最下部に配置される仕上げ面（仕上げ部）を構成する。住宅１０の２階の屋根天井１５は、２階の非居住空間の最上部の仕上げ面（仕上げ部）を構成する。また、各階の各空間１１１，１１２，１１３，１２１，１２２，１２３，１２４の天井は、各空間の最上部の仕上げ面（仕上げ部）を構成する。
【００２６】
空調システム１は、空調装置２と、換気装置３と、１階水回り空間用ファン排気口４１と、１階廊下用排気ファン排気口４２と、１階第１リビング空間用給気ファン給気口４３と、１階第２リビング空間用給気ファン給気口４４と、１階第１リビング空間用排気ファン排気口４５と、１階側循環ファン吸気口４６（第１吸気口）と、２階収納空間用排気ファン排気口５１と、２階第１居住空間用給気ファン給気口５２と、２階廊下用排気ファン排気口５３と、２階第２居住空間用給気ファン給気口５４と、２階側循環ファン吸気口５５（第２吸気口）と、第１給気用チャンバ７１と、第２給気用チャンバ７２と、Ｙ字管７３と、第１排気用チャンバ７４と、第２排気用チャンバ７５と、切替部８と、給気ダクトＬ１と、排気ダクトＬ２と、循環吸気ダクトＬ３と、を有する。給気ダクトＬ１、排気ダクトＬ２及び循環吸気ダクトＬ３は、空気が流通する流通路を構成する配管であり、例えば、ダクトで構成される。
【００２７】
空調装置２は、空調室内機２１と、空調室外機２２と、を備える。空調室内機２１は、１階と２階との間の１階上部側配管スペース１３２に配置される。空調室外機２２は、空調室内機２１に接続されており、例えば、住宅１０の外壁１４の外側において地面１０１上に配置される。
【００２８】
空調室内機２１は、住宅１０内を暖房する暖房機能と、住宅１０内を冷房する冷房機能とを備える。空調室内機２１は、１階側循環ファン吸気口４６又は２階側循環ファン吸気口５５を介して導入された住宅１０内の空気と、換気装置３（後述）により導入された住宅１０外の空気とを、暖房機能により暖めて又は冷房機能により冷やして住宅１０内に供給する。空調室内機２１は、給気ダクトＬ１を介して、１階第１リビング空間用給気ファン給気口４３、１階第２リビング空間用給気ファン給気口４４、２階第１居住空間用給気ファン給気口５２及び２階第２居住空間用給気ファン給気口５４により、各空間１１３、１２２、１２４に、暖房機能により暖めた空気又は冷房機能により冷やした空気を供給する。
【００２９】
１階第１リビング空間用給気ファン給気口４３は、１階において、１階リビング空間１１３の一方側の壁面１１３ａの上部側に配置される。
１階第２リビング空間用給気ファン給気口４４は、１階において、１階リビング空間１１３の室内天井１１３ｂの左右方向の中央付近に配置される。
２階第１居住空間用給気ファン給気口５２は、２階において、２階第１居住空間１２２の他方側壁面１２２ｂの上部側に配置される。
２階第２居住空間用給気ファン給気口５４は、２階において、２階第２居住空間１２４の一方側壁面１２４ａの上部側に配置される。
【００３０】
給気ダクトＬ１は、住宅１０外の空気を換気装置３（後述）に導入し、換気装置３に導入された空気を空調装置２に導入し、空調装置２の暖房機能により暖められた空気又は冷房機能により冷やされた空気を、１階リビング空間１１３、２階第１居住空間１２２、及び２階第２居住空間１２４に供給するための配管である。給気ダクトＬ１は、換気装置導入ダクトＬ１１と、空調装置導入ダクトＬ１２と、１階側導入ダクトＬ１３と、第１給気ダクトＬ１４と、第２給気ダクトＬ１５と、２階側導入ダクトＬ１６と、第３給気ダクトＬ１７と、第４給気ダクトＬ１８と、を有する。
【００３１】
換気装置導入ダクトＬ１１は、住宅１０外からの空気を換気装置３に導入する配管である。
空調装置導入ダクトＬ１２は、換気装置３から空調室内機２１までの配管である。
１階側導入ダクトＬ１３は、空調室内機２１において分岐され、空調室内機２１から第１給気用チャンバ７１までの配管である。
第１給気ダクトＬ１４は、第１給気用チャンバ７１において分岐され、第１給気用チャンバ７１から１階第１リビング空間用給気ファン給気口４３までの配管である。
第２給気ダクトＬ１５は、第１給気用チャンバ７１において分岐され、第１給気用チャンバ７１から１階第２リビング空間用給気ファン給気口４４までの配管である。
２階側導入ダクトＬ１６は、空調室内機２１において分岐され、空調室内機２１から第２給気用チャンバ７２までの配管である。
第３給気ダクトＬ１７は、第２給気用チャンバ７２において分岐され、第２給気用チャンバ７２から２階第１居住空間用給気ファン給気口５２までの配管である。
第４給気ダクトＬ１８は、第２給気用チャンバ７２において分岐され、第２給気用チャンバ７２から２階第２居住空間用給気ファン給気口５４までの配管である。
【００３２】
空調装置２には、例えば冬季に、暖房機能を機能させる場合に、１階側循環ファン吸気口４６を介して住宅１０内の断熱区画１８における最下部の近傍の冷たい空気が導入される。１階側循環ファン吸気口４６は、循環吸気ダクトＬ３（後述）により空調装置２に接続される。本実施形態においては、１階側循環ファン吸気口４６は、住宅１０内の断熱区画１８における最下部の近傍に配置される。
【００３３】
ここで、本実施形態においては、断熱区画１８における最下部の近傍は、断熱区画１８の最下部から１ｍ高い位置までの範囲内であることが好ましく、断熱区画１８の最下部から５０ｃｍ高い位置までの範囲内であることがより好ましい。住宅１０内の断熱区画１８における最下部の近傍は、従来、冬季において、空調装置２により暖房機能を動作させても、住宅１０内において、空気が暖まりにくく、空調装置２の効きが悪いとされる場所である。例えば、一般的に、冬季に暖房機能を動作させた場合に、居住空間又は非居住空間の足元等の温度が、暖房の設定温度に対して３℃以上低い場合に、空調の効きが悪いとされる。本実施形態においては、断熱区画１８における最下部の近傍は、暖房機能を動作させた場合に、暖房の設定温度に対して３℃以上低いとされる場所である。
【００３４】
本実施形態においては、１階側循環ファン吸気口４６は、１階側配管スペース１３１の下方において、例えば床下空間１１４に配置される。本実施形態では、床下空間１１４は、住宅１０の最下階の最下部であって、断熱区画１８の最下部でもある。
【００３５】
また、空調装置２には、例えば夏季に、冷房機能を機能させる場合に、２階側循環ファン吸気口５５を介して住宅１０内の断熱区画１８における最上部の近傍の暖かい空気が導入される。２階側循環ファン吸気口５５は、循環吸気ダクトＬ３（後述）により空調装置２に接続される。本実施形態においては、２階側循環ファン吸気口５５は、住宅１０内の断熱区画１８における最上部の近傍に配置される。
【００３６】
ここで、本実施形態においては、断熱区画１８における最上部の近傍は、断熱区画１８の最上部から１ｍ低い位置までの範囲内であることが好ましく、断熱区画１８の最上部から５０ｃｍ低い位置までの範囲内であることがより好ましい。住宅１０内の断熱区画１８における最上部の近傍は、従来、夏季において、空調装置２により冷房機能を動作させても、住宅１０内において、空気が冷えにくく、空調装置２の効きが悪いとされる場所である。例えば、一般的に、夏季に冷房機能を動作させた場合に、居住空間又は非居住空間の天井付近等の温度が、冷房の設定温度に対して３℃以上高い場合に、空調の効きが悪いとされる。本実施形態においては、断熱区画１８における最上部の近傍は、冷房機能を動作させた場合に、冷房の設定温度に対して３℃以上高いとされる場所である。
【００３７】
本実施形態においては、２階側循環ファン吸気口５５は、例えば屋根裏空間１２５に配置される。本実施形態では、屋根裏空間１２５は、住宅１０の最上階の最上部であって、断熱区画１８の最上部でもある。
【００３８】
切替部８は、循環吸気ダクトＬ３の途中に設けられる。切替部８は、空調装置２に導入される住宅１０内の空気を、１階側循環ファン吸気口４６を介して導入される冷たい空気、又は、２階側循環ファン吸気口５５を介して導入される暖かい空気のいずれか一方に切り替え可能である。
【００３９】
切替部８は、循環吸気ダクトＬ３の途中において、１階側循環ファン吸気口４６に吸引された空気が空調室内機２１に導入される１階側空気吸引状態と、２階側循環ファン吸気口５５に吸引された空気が空調室内機２１に導入される２階側空気吸引状態と、に選択的に切り替え可能に構成される。
【００４０】
循環吸気ダクトＬ３は、断熱区画１８の最下部の近傍の冷たい空気又は断熱区画１８の最上部の近傍の暖かい空気を空調室内機２１に循環させる配管である。循環吸気ダクトＬ３は、１階側循環吸気ダクトＬ３１と、２階側循環吸気ダクトＬ３２と、共通循環吸気ダクトＬ３３と、を有する。
【００４１】
循環吸気ダクトＬ３は、切替部８により１階側空気吸引状態に切り替えられた場合に、断熱区画１８の最上部の近傍の冷たい空気を、１階側循環吸気ダクトＬ３１及び共通循環吸気ダクトＬ３３を介して、空調室内機２１に循環させる。また、循環吸気ダクトＬ３は、切替部８により２階側空気吸引状態に切り替えられた場合に、断熱区画１８の最上部の近傍の暖かい空気を、２階側循環吸気ダクトＬ３２及び共通循環吸気ダクトＬ３３を介して、空調室内機２１に循環させる。
【００４２】
１階側循環吸気ダクトＬ３１は、１階側循環ファン吸気口４６から切替部８までの配管であり、１階側循環ファン吸気口４６から吸気された空気を切替部８まで流通させる。
２階側循環吸気ダクトＬ３２は、２階側循環ファン吸気口５５から切替部８までの配管であり、２階側循環ファン吸気口５５から吸気された空気を切替部８まで流通させる。
共通循環吸気ダクトＬ３３は、一端が切替部８に接続され、他端が空調室内機２１に接続され、切替部８により切り替えられた１階側循環吸気ダクトＬ３１又は２階側循環吸気ダクトＬ３２を流通された空気を空調室内機２１まで流通させる配管である。
【００４３】
例えば、冬季において、空調装置２により暖房機能を機能させている場合に、切替部８を１階側空気吸引状態に切り替えることで、空調装置２には、床下空間１１４の冷たい空気が導入される。また、例えば、夏季において、空調装置２により冷房機能を機能させている場合に、切替部８を２階側空気吸引状態に切り替えることで、空調装置２には、屋根裏空間１２５の暖かい空気が導入される。
【００４４】
切替部８は、例えば、手動操作により１階側空気吸引状態と２階側空気吸引状態とに切り替えるように構成してもよいし、空調装置２の冷房又は暖房に連動して１階側空気吸引状態又は２階側空気吸引状態を自動で切り替えるように構成してもよい。
【００４５】
なお、本実施形態においては、循環吸気ダクトＬ３に共通循環吸気ダクトＬ３３を設けたが、これに限定されず、１階側循環吸気ダクトＬ３１と、２階側循環吸気ダクトＬ３２とを別々に設け、それぞれを、空調室内機２１に接続して、空調室内機２１に内蔵された切替部により切り替えるように構成してもよい。
【００４６】
換気装置３は、１階と２階との間の１階上部側配管スペース１３２に配置される。換気装置３は、空調装置２に住宅１０外の空気を空調装置２に導入することで空調装置２を介して住宅１０外の空気を住宅１０内に導入すると共に、住宅１０内の空気を住宅１０外に排出することで、住宅１０内を換気する。また、換気装置３は、熱交換機能を有し、給気空気と排気空気との間で熱交換を行いながら、給気動作及び排気動作を行うことで、２４時間の換気を行っている。
【００４７】
換気装置３は、排気ダクトＬ２を介して、１階において、１階水回り空間用ファン排気口４１、１階廊下用排気ファン排気口４２、１階第１リビング空間用排気ファン排気口４５により吸引された所定の各空間１１１，１１２，１１３の空気を住宅１０外に排出し、２階において、２階収納空間用排気ファン排気口５１、２階廊下用排気ファン排気口５３により吸引された所定の各空間１２１，１２３の空気を住宅１０外に排出する。換気装置３は、住宅１０外の空気を空調装置２に導入することにより、空調装置２を介して、１階において、各給気口４３，４４を介して住宅１０外からの空気を所定の空間１１３に供給する共に、２階において、各給気口５２，５４を介して住宅１０外からの空気を所定の空間１２２，１２４に供給する。
【００４８】
１階水回り空間用ファン排気口４１は、１階において、１階水回り空間１１１の室内天井１１１ｂに配置される。
１階廊下用排気ファン排気口４２は、１階において、１階廊下空間１１２の室内天井１１２ｂに配置される。
１階第１リビング空間用排気ファン排気口４５は、１階において、１階リビング空間１１３の室内天井１１３ｂの他方側に配置される。
【００４９】
２階収納空間用排気ファン排気口５１は、２階において、２階収納空間１２１の室内天井１２１ｂに配置される。
２階廊下用排気ファン排気口５３は、２階において、２階廊下空間１２３の室内天井１２３ａに配置される。
【００５０】
排気ダクトＬ２は、１階側水回り空間１１１内の空気、１階廊下空間１１２内の空気、１階リビング空間１１３内の空気、２階収納空間１２１内の空気、及び２階廊下空間１２３の空気を、住宅１０外に排出するための配管である。排気ダクトＬ２は、１階水回り側排気ダクトＬ２１と、１階廊下側排気ダクトＬ２２と、１階リビング側排気ダクトＬ２３と、１階側排気合流ダクトＬ２４と、２階収納空間側排気ダクトＬ２５と、２階廊下側排気ダクトＬ２６と、２階側排気合流ダクトＬ２７と、全排気合流ダクトＬ２８と、排気排出ダクトＬ２９と、を有する。
【００５１】
１階水回り側排気ダクトＬ２１は、１階水回り空間用ファン排気口４１から第１排気用チャンバ７４までの配管である。
１階廊下側排気ダクトＬ２２は、１階廊下用排気ファン排気口４２から第１排気用チャンバ７４までの配管である。
１階リビング側排気ダクトＬ２３は、１階第１リビング空間用排気ファン排気口４５から第１排気用チャンバ７４までの配管である。
１階側排気合流ダクトＬ２４は、第１排気用チャンバ７４からＹ字管７３までの配管である。
２階収納空間側排気ダクトＬ２５は、２階収納空間用排気ファン排気口５１から第２排気用チャンバ７５までの配管である。
２階廊下側排気ダクトＬ２６は、２階廊下用排気ファン排気口５３から第２排気用チャンバ７５までの配管である。
２階側排気合流ダクトＬ２７は、第２排気用チャンバ７５からＹ字管７３までの配管である。
全排気合流ダクトＬ２８は、Ｙ字管７３から換気装置３までの配管である。
排気排出ダクトＬ２９は、換気装置３から排出された空気を住宅１０の外部に排出する配管である。
【００５２】
換気装置３は、住宅１０内の換気を２４時間行っており、空調装置２を運転させた場合においても停止させた場合においても換気を行っている。空調装置２を停止させた場合には、空調装置２の冷房及び暖房は行われないが、空調装置２の内部を通過した空気が住宅１０内に導入されることで、換気装置３による換気は行われる。
【００５３】
本実施形態においては、空調装置２の空調室内機２１に導入される空気量について、一例として、換気装置３により導入された空気量は、例えば１５０〜１６０ｍ３／ｈ（リューベ）程度であり、住宅１０の内部から吸引されて導入される空気量（１階側循環ファン吸気口４６又は２階側循環ファン吸気口５５により吸引される空気量）は、例えば３５０ｍ３／ｈ（リューベ）程度である。これにより、空調室内機２１は、導入された空気を冷房機能により冷やして又は及び暖房機能により暖めて、５００ｍ３／ｈ（リューベ）程度の空気量の空気を住宅１０内に供給する。ここで、例えば３５０ｍ３／ｈ（リューベ）程度の住宅１０の内部から吸引されて空調装置２に導入される空気は、住宅１０内を循環されて、空調装置２の冷房機能により冷やされて又は及び暖房機能により暖められて、再度、所定の各空間１１３、１２２、１２４に供給される。
【００５４】
次に、本実施形態の空調システム１の動作について説明する。本実施形態の空調システム１を冬季に使用する場合及び夏季に使用する場合について説明する。
【００５５】
まず、空調システム１を冬季に使用する場合について説明する。
空調システム１を冬季に使用する場合には、換気装置３の換気機能及び熱交換機能を機能させながら、空調装置２の暖房機能を機能させると共に、図１に示すように、切替部８を１階側空気吸引状態に切り替える。
【００５６】
空調装置２には、換気装置３から住宅１０外の空気が導入され、切替部８を１階側空気吸引状態に切り替えることで、１階側循環ファン吸気口４６を介して床下空間１１４の空気が導入される。空調装置２は、換気装置３により導入された空気と、１階側循環ファン吸気口４６を介して導入された空気とを、暖房機能により暖房して、所定の各空間１１３，１２２，１２４に供給する。
【００５７】
具体的には、冬季においては、断熱区画１８の最下部の近傍の床下空間１１４の空気の温度が暖まりにくいため、切替部８を１階側空気吸引状態に切り替えることで、１階側循環ファン吸気口４６により床下空間１１４の冷たい空気を吸引して、空調装置２に導入させる。本実施形態においては、断熱区画１８における最下部の近傍は、断熱区画１８の最下部から１ｍ高い位置までの範囲内であることが好ましく、断熱区画１８の最下部から５０ｃｍ高い位置までの範囲内であることがより好ましい。住宅１０内の断熱区画１８における最下部の近傍は、従来、冬季において、空調装置２により暖房機能を動作させても、住宅１０内において、空気が暖まりにくく、空調装置２の効きが悪いとされる場所である。
【００５８】
そして、空調装置２は、換気装置３から導入された空気と、切替部８を１階側空気吸引状態に切り替えることで１階側循環ファン吸気口４６を介して導入された空気と、を暖房機能により暖房して、１階において、各給気口４３，４４を介して所定の空間１１３に給気を行い、２階において、各給気口５２，５４を介して所定の空間１２２，１２４に給気を行う。
【００５９】
本実施形態においては、１階側循環ファン吸気口４６は、床下空間１１４に配置されている。断熱区画１８の最下部の近傍の床下空間１１４に配置される１階側循環ファン吸気口４６は、冬季において空調装置２により暖房機能を機能させた場合に、温度が上がりにくく暖房が利きにくい断熱区画１８の最下部近傍の床下空間１１４の空気を吸引する。そして、１階側循環ファン吸気口４６により吸引された冷たい空気を空調装置２に戻して、再び空調装置２の暖房機能により暖房して、各空間１１３，１２２，１２４に供給する。このように、空調システム１は、住宅１０内の冷たい空気を導入して空気を循環させながら、空調装置２の暖房機能を機能させることができる。
【００６０】
次に、空調システム１を夏季に使用する場合について説明する。
空調システム１を夏季に使用する場合には、換気装置３の換気機能及び熱交換機能を機能させながら、空調装置２の冷房機能を機能させると共に、図２に示すように、切替部８を２階側空気吸引状態に切り替える。
【００６１】
空調装置２には、換気装置３から住宅１０外の空気が導入され、切替部８を２階側空気吸引状態に切り替えることで、２階側循環ファン吸気口５５を介して屋根裏空間１２５の空気が導入される。空調装置２は、換気装置３により導入された空気と、２階側循環ファン吸気口５５を介して導入された空気とを、冷房機能により冷房して、所定の各空間１１３，１２２，１２４に供給する。
【００６２】
具体的には、夏季においては、断熱区画１８の最上部近傍の屋根裏空間１２５の空気の温度が冷えにくいため、切替部８を２階側空気吸引状態に切り替えることで、２階側循環ファン吸気口５５により屋根裏空間１２５の暖かい空気を吸引して、空調装置２に導入させる。本実施形態においては、断熱区画１８における最上部の近傍は、断熱区画１８の最下部から１ｍ低い位置までの範囲内であることが好ましく、断熱区画１８の最下部から５０ｃｍ低い位置までの範囲内であることがより好ましい。住宅１０内の断熱区画１８における最上部の近傍は、従来、夏季において、空調装置２により冷房機能を動作させても、住宅１０内において、空気が冷えにくく、空調装置２の効きが悪いとされる場所である。
【００６３】
そして、空調装置２は、換気装置３から導入された空気と、切替部８を２階側空気吸引状態に切り替えることで２階側循環ファン吸気口５５を介して導入された空気と、を冷房機能により冷房して、１階において、各給気口４３，４４を介して所定の空間１１３に給気を行い、２階において、各給気口５２，５４を介して所定の空間１２２，１２４に給気を行う。
【００６４】
本実施形態においては、２階側循環ファン吸気口５５は、屋根裏空間１２５に配置されている。屋根裏空間１２５に配置される２階側循環ファン吸気口５５は、夏季において空調装置２により冷房機能を機能させた場合に、温度が下がりにくく冷房が利きにくい断熱区画１８の最上部近傍の屋根裏空間１２５の空気を吸引する。そして、２階側循環ファン吸気口５５により吸引された暖かい空気を空調装置２に戻して、再び空調装置２の冷房機能により冷房して、各空間１１３，１２２，１２４に供給する。このように、住宅１０内の暖かい空気を空調装置２に導入して空気を循環させながら、空調装置２の冷房機能を機能させることができる。
【００６５】
以上の空調システム１においては、冬季において暖房する際に、空調装置２には、断熱区画１８の最下部近傍の床下空間１１４の冷たい空気が導入され、空調装置２は、導入された空気を暖めて、住宅１０の各空間１１３，１２２，１２４に給気することができる。また、夏季において冷房する際に、空調装置２には、断熱区画１８の最上部近傍の屋根裏空間１２５の暖かい空気が導入され、空調装置２は、導入された空気を冷やして、住宅１０の各空間１１３，１２２，１２４に給気することができる。そのため、断熱区画１８の最下部近傍の冷たい空気又は断熱区画１８の最上部近傍の暖かい空気を導入して空気を循環させながら、空調装置２の暖房機能又は冷房機能を機能させることで、空気の流れを生じさせながら、住宅１０内の空気の温度差を小さくすることができる。
よって、簡易な構成で、住宅１０内の全体の気温を均一な温度に調整可能できる。特に、気密性が高く、断熱性能が高い住宅１０においては、空調システム１を省電力で動作させることができる。
また、換気装置３により住宅１０内の換気を行いながら、住宅１０内の全体の気温を均一な温度に調整することができる。
【００６６】
以上説明した本実施形態の空調システムによれば、以下のような効果を奏する。
本実施形態の空調システム１は、１階側循環ファン吸気口４６又は２階側循環ファン吸気口５５を介して導入された住宅１０内の空気を暖房機能により暖めて又は冷房機能により冷やして住宅１０内に供給する空調装置２を備える空調システム１であって、暖房機能を機能させる場合において、１階側循環ファン吸気口４６は、住宅１０内の断熱区画１８における最下部の近傍に配置され、冷房機能を機能させる場合において、２階側循環ファン吸気口５５は、住宅１０内の断熱区画１８における最上部の近傍に配置される。
【００６７】
そのため、空調装置２には、暖房機能を機能させる場合に、１階側循環ファン吸気口４６を介して住宅１０内の断熱区画１８の最下部近傍の冷たい空気が導入され、又は、冷房機能を機能させる場合に、２階側循環ファン吸気口５５を介して住宅１０内の断熱区画１８の最上部近傍の暖かい空気が導入される。これにより、空調装置２は、住宅１０内の冷たい空気又は暖かい空気を循環させて、暖房機能又は冷房機能を機能させることで空調を行うことができる。よって、簡易な構成で、住宅１０内の全体の気温を均一な温度に調整可能できる。特に、気密性が高く、断熱性能が高い住宅１０においては、空調システム１を省電力で動作させることができる。
【００６８】
また、本実施形態においては、１階側循環ファン吸気口４６は、床下空間１１４に配置され、２階側循環ファン吸気口５５は、屋根裏空間１２５に配置される。そのため、住宅１０が２階建で構成される場合に、より温度条件が厳しい場所の空気を吸引して空調装置２に導入することで、より冷たい空気又はより暖かい空気を循環させて、暖房機能又は冷房機能を機能させることで空調を行うことができる。よって、一層効率的に、住宅１０内の全体の気温を均一な温度に調整することができる。
【００６９】
また、本実施形態においては、空調装置２は、暖房機能及び冷房機能の両方の機能を有し、空調装置２に導入される空気を、１階側循環ファン吸気口４６を介して導入される冷たい空気又は２階側循環ファン吸気口５５を介して導入される暖かい空気のいずれか一方に切り替え可能な切替部８を備える。これにより、切替部８により切り替えることで、暖房機能及び冷房機能を機能させる場合に、例えば夏季又は冬季の季節に合わせて切替部８を切り替えることで、住宅１０内の全体の気温を均一な温度に調整することができる。
【００７０】
また、本実施形態においては、住宅１０外の空気を住宅１０内に導入すると共に、住宅１０内の空気を住宅１０外に排出する換気装置３を更に備え、換気装置３は、住宅１０外の空気を空調装置２に導入し、空調装置２は、換気装置３により導入された住宅１０外の空気を暖房機能により暖めて又は冷房機能により冷やして住宅１０内に供給する。これより、空調装置２と換気装置３とを備える空調システム１とすることができ、住宅１０内の換気を行いながら、住宅１０内の全体の気温を均一な温度に調整できるシステムを実現できる。
【００７１】
＜第２実施形態＞
次に、本発明の第２実施形態について説明する。図３は、本発明の第２実施形態に係る空調システム１Ａを備える住宅１０Ａにおいて暖房時及び冷房時の状態を示す図である。
第２実施形態の住宅１０Ａは、第１実施形態の住宅１０と比べて、断熱区画１８Ａが異なる。また、第２実施形態は、１階側循環ファン吸気口４６Ａ及び２階側循環ファン吸気口５５Ａの配置位置が、第１実施形態の１階側循環ファン吸気口４６及び２階側循環ファン吸気口５５と異なる。第２実施形態において、第１実施形態と同様の構成については、同様の符号を付して説明を省略する。なお、第２実施形態の図３では、第１実施形態の図１及び図２において分けて記載した暖房時及び冷房時の空気の流れを、１つの図に示している。図３においては、冷房時に１階側循環ファン吸気口４６Ａに吸引される空気を実線の矢印で示しており、暖房時に２階側循環ファン吸気口５５Ａに吸引される空気を破線の矢印で示している。
【００７２】
第２実施形態の断熱区画１８Ａは、第１実施形態の屋根１３に沿って配置される屋根側断熱ライン１８１を有しておらず、屋根天井１５の上側において屋根天井１５に沿って配置される小屋断熱ライン１８３を有する。また、第２実施形態の断熱区画１８Ａは、第１実施形態の外壁側断熱ライン１８２よりも下端部が短く屋根１３から床１６まで上下方向に延びる外側断熱ライン１８２Ａを有している。また、断熱区画１８Ａは、床１６の下側において床１６に沿って配置される床側断熱ライン１８４を有する。
第２実施形態においては、住宅１０の１階の床１６は、断熱区画１８Ａの床側断熱ライン１８４に沿って配置されるため断熱区画を構成し、１階の居住空間又は非居住空間の最下部に配置される仕上げ面（仕上げ部）でもある。住宅１０の２階の屋根天井１５は、断熱区画１８Ａの小屋断熱ライン１８３に沿って配置されるため断熱区画を構成し、２階の非居住空間の最上部の仕上げ面（仕上げ部）でもある。
【００７３】
また、第２実施形態の空調システム１Ａは、１階側循環ファン吸気口４６Ａ及び２階側循環ファン吸気口５５Ａを有し、１階側循環ファン吸気口４６Ａ及び２階側循環ファン吸気口５５Ａは、第１実施形態の１階側循環ファン吸気口４６及び２階側循環ファン吸気口５５が配置される位置とは異なる位置に配置される。
【００７４】
第２実施形態においては、１階側循環ファン吸気口４６Ａは、１階の１階側配管スペース１３１の下方側の床１６（断熱区画１８Ａ、仕上げ部）の近傍に配置される。１階の１階側配管スペース１３１の下方側の床１６の近傍は、住宅１０の断熱区画１８Ａの最下部近傍であって、２階建て住宅１０の最下階の非居住空間の最下部に配置される床１６の近傍である。
【００７５】
ここで、本実施形態においては、２階建て住宅１０の最下階の非居住空間の最下部に配置される床１６（断熱区画１８Ａ、仕上げ部）の近傍は、床１６の上面から１ｍ高い位置までの範囲内であることが好ましく、床１６の上面から５０ｃｍ高い位置までの範囲内であることがより好ましい。住宅１０内の２階建て住宅１０の最下階の非居住空間の最下部の床１６の近傍は、従来、冬季において、空調装置２により暖房機能を動作させても、住宅１０内において、空気が暖まりにくく、空調装置２の効きが悪いとされる場所である。例えば、一般的に、冬季に暖房機能を動作させた場合に、居住空間又は非居住空間の足元等の温度が、暖房の設定温度に対して３℃以上低い場合に、空調の効きが悪いとされる。本実施形態においては、２階建て住宅１０の最下階の非居住空間の最下部に配置される床１６の近傍は、暖房機能を動作させた場合に、暖房の設定温度に対して３℃以上低いとされる場所である。
【００７６】
また、２階側循環ファン吸気口５５Ａは、２階上部側配管スペース１３４の屋根天井１５（断熱区画１８Ａ、仕上げ部）の近傍に配置される。２階上部側配管スペース１３４の上方側の屋根天井１５の近傍は、住宅１０の断熱区画１８Ａの最上部近傍であって、２階建て住宅１０の最上階の非居住空間の最上部に配置される屋根天井１５の近傍である。
【００７７】
ここで、本実施形態においては、２階建て住宅１０の最上階の非居住空間の最上部に配置される屋根天井１５（断熱区画１８Ａ、仕上げ部）の近傍は、屋根天井１５の下面から１ｍ低い位置までの範囲内であることが好ましく、屋根天井１５の下面から５０ｃｍ低い位置までの範囲内であることがより好ましい。住宅１０内の２階建て住宅１０の最上階の非居住空間の最上部の屋根天井１５の近傍は、従来、夏季において、空調装置２により冷房機能を動作させても、住宅１０内において、空気が冷えにくく、空調装置２の効きが悪いとされる場所である。例えば、一般的に、夏季に冷房機能を動作させた場合に、居住空間又は非居住空間の天井付近等の温度が、冷房の設定温度に対して３℃以上高い場合に、空調の効きが悪いとされる。本実施形態においては、２階建て住宅１０の最上階の非居住空間の最上部に配置される屋根天井１５の近傍は、冷房機能を動作させた場合に、冷房の設定温度に対して３℃以上高いとされる場所である。
【００７８】
以上のように構成される第２実施形態の空調システム１Ａにおいても、第１実施形態と同様の効果を奏することができる。具体的には、第２実施形態の空調システム１Ａにおいては、１階側循環ファン吸気口４６Ａは、住宅１０の最下階の非居住空間の最下部の床１６の近傍に配置される。また、２階側循環ファン吸気口５５Ａは、住宅１０の最上階の非居住空間の最上部の屋根天井１５の近傍に配置される。これにより、より温度条件が厳しい場所の空気を吸引して空調装置２に導入することで、住宅１０内の１階の床１６近傍の冷たい空気又は２階の屋根天井１５近傍の暖かい空気を循環させて、暖房機能又は冷房機能を機能させることで空調を行うことができる。よって、簡易な構成で、住宅１０Ａ内の全体の気温を均一な温度に調整することができる。
【００７９】
＜第３実施形態＞
次に、本発明の第３実施形態について説明する。図４は、本発明の第３実施形態に係る空調システム１Ｂを備える住宅１０Ａにおいて暖房時及び冷房時の状態を示す図である。
第３実施形態は、１階側循環ファン吸気口４６Ｂ及び２階側循環ファン吸気口５５Ｂの配置位置が、第２実施形態の１階側循環ファン吸気口４６Ａ及び２階側循環ファン吸気口５５Ａと異なる。第３実施形態において、第２実施形態と同様の構成については、同様の符号を付して説明を省略する。なお、第３実施形態の図４においても、第２実施形態の図３と同様に、暖房時及び冷房時の空気の流れを、１つの図に示している。図４においては、冷房時に１階側循環ファン吸気口４６Ｂに吸引される空気を実線の矢印で示しており、暖房時に２階側循環ファン吸気口５５Ｂに吸引される空気を破線の矢印で示している。
【００８０】
第３実施形態の住宅１０Ａは、第２実施形態の住宅１０Ａと同様に構成され、断熱区画１８Ａも同様の構成である。
また、第３実施形態は、１階側循環ファン吸気口４６Ｂ及び２階側循環ファン吸気口５５Ｂを有し、１階側循環ファン吸気口４６Ｂ及び２階側循環ファン吸気口５５Ｂは、第２実施形態の１階側循環ファン吸気口４６Ａ及び２階側循環ファン吸気口５５Ａが配置される位置とは異なる位置に配置される。
【００８１】
第３実施形態においては、１階側循環ファン吸気口４６Ｂは、１階廊下空間１１２の一方側壁面１１２ａの下方側の床１６（断熱区画１８Ａ、仕上げ部）の近傍に配置される。１階廊下空間１１２の一方側壁面１１２ａの下方側の床１６の近傍は、２階建て住宅１０の最下階の非居住空間の最下部に配置される床１６の近傍である。２階建て住宅１０の最下階の非居住空間の最下部に配置される床１６（断熱区画１８Ａ、仕上げ部）の近傍の解釈は、第２実施形態と同様である。
【００８２】
また、２階側循環ファン吸気口５５Ｂは、２階廊下空間１２３の一方側壁面１２３ｂの上方側の室内天井１２３ａの近傍に配置される。２階廊下空間１２３の一方側壁面１２３ｂの上方側の室内天井１２３ａの近傍は、２階建て住宅１０の最上階の非居住空間の最上部に配置される室内天井１２３ａ（仕上げ部）の近傍である。
【００８３】
ここで、本実施形態においては、２階建て住宅１０の最上階の非居住空間の最上部に配置される２階廊下空間１２３の室内天井１２３ａ（仕上げ部）の近傍は、室内天井１２３ａの下面から１ｍ低い位置までの範囲内であることが好ましく、室内天井１２３ａの下面から５０ｃｍ低い位置までの範囲内であることがより好ましい。住宅１０内の２階建て住宅１０の最上階の非居住空間の最上部の室内天井１２３ａの近傍は、従来、夏季において、空調装置２により冷房機能を動作させても、住宅１０内において、空気が冷えにくく、空調装置２の効きが悪いとされる場所である。例えば、一般的に、夏季に冷房機能を動作させた場合に、居住空間又は非居住空間の天井付近等の温度が、冷房の設定温度に対して３℃以上高い場合に、空調の効きが悪いとされる。本実施形態においては、２階建て住宅１０の最上階の非居住空間の最上部に配置される室内天井１２３ａの近傍は、冷房機能を動作させた場合に、冷房の設定温度に対して３℃以上高いとされる場所である。
【００８４】
第３実施形態においては、１階側循環ファン吸気口４６Ｂ又は２階側循環ファン吸気口５５Ｂは、非居住空間である１階廊下空間１１２及び２階廊下空間１２３に存在する空気を吸引する。非居住空間においては、空調装置２や換気装置３からの空気の供給は行われておらず、また、隣接する空間と下部において連通されており、汚れた空気が集まりやすい空間である。そのため、冷暖房の空調が行われていない非居住空間の空気を１階側循環ファン吸気口４６Ｂ又は２階側循環ファン吸気口５５Ｂを介して空調装置２に導入させると共に、空調装置２により冷やされた空気又は暖められた空気を居住空間に供給することで、空気の流れを生じさせて、冷房機能又は暖房機能を効率的に機能させることができる。よって、省エネルギー効果を実現できる。
【００８５】
以上のように構成される第３実施形態の空調システム１Ｂにおいても、第１実施形態及び第２実施形態と同様の効果を奏することができる。具体的には、第３実施形態の空調システム１Ｂにおいては、１階側循環ファン吸気口４６Ｂは、住宅１０の最下階の１階廊下空間１１２（非居住空間）の最下部の床１６（断熱区画１８Ａ、仕上げ部）の近傍に配置される。また、２階側循環ファン吸気口５５Ｂは、住宅１０の最上階の２階廊下空間１２３（非居住空間）の室内天井１２３ａ（仕上げ部）の近傍に配置される。これにより、より温度条件が厳しい場所の空気を吸引して空調装置２に導入することで、住宅１０内の１階の１階廊下空間１１２の床１６近傍の冷たい空気又は２階の２階廊下空間１２３の室内天井１２３ａ近傍の暖かい空気を循環させて、暖房機能又は冷房機能を機能させることで空調を行うことができる。よって、簡易な構成で、住宅１０Ａ内の全体の気温を均一な温度に調整することができる。
【００８６】
＜第４実施形態＞
次に、本発明の第４実施形態について説明する。図５は、本発明の第４実施形態に係る空調システム１Ｃを備える住宅１０において暖房時及び冷房時の状態を示す図である。
第４実施形態の空調システム１Ｃは、第１実施形態の空調システム１に、空調メンテナンス構造９を備えたものである。第１実施形態と同様の構成については、同様の符号を付して説明を省略する。なお、第４実施形態の図５においても、第２実施形態の図３と同様に、暖房時及び冷房時の空気の流れを、１つの図に示している。図５においては、冷房時に１階側循環ファン吸気口４６に吸引される空気を実線の矢印で示しており、暖房時に２階側循環ファン吸気口５５Ｃに吸引される空気を破線の矢印で示している。
【００８７】
第４実施形態の空調システム１Ｃは、第１実施形態の空調システム１の構成に加えて、空調メンテナンス構造９を備える。
空調メンテナンス構造９は、空調システム１のフィルター（１階側フィルター９１２、２階側フィルター９２２）のメンテナンスを行うための構造である。詳細には、空調メンテナンス構造９は、空調システム１において、１階側循環ファン吸気口４６や２階側循環ファン吸気口５５Ｃから吸引された空気を空調装置２に循環させるための循環路に設けられたフィルター（１階側フィルター９１２、２階側フィルター９２２）のメンテナンスを容易に行うことができる構造である。
【００８８】
本実施形態の空調メンテナンス構造９は、１階側に設けられる１階側空調メンテナンス構造９１と、２階側に設けられる２階側空調メンテナンス構造９２と、を備える。
【００８９】
第４実施形態においては、１階側において、第１実施形態の図１に示す１階側循環吸気ダクトＬ３１の１階側循環ファン吸気口４６側の端部を１階側循環ファン吸気口４６に接続せずに、切替部８側の端部を切替部８に接続した状態で長さを短く形成し、１階側空調メンテナンス構造９１を設けた。また、２階側において、第１実施形態の図１に示す２階側循環吸気ダクトＬ３２の２階側循環ファン吸気口５５側の端部を２階側循環ファン吸気口５５に接続せずに、切替部８側の端部を切替部８に接続した状態で長さを短く形成し、２階側空調メンテナンス構造９２を設けた。
【００９０】
１階側空調メンテナンス構造９１は、図５に示すように、１階側吸気用気密空間９１１（吸気用気密空間）と、１階側循環吸気ダクトＬ３１（メンテナンス用ダクト）と、１階側循環ファン吸気口４６（吸気口）と、１階側フィルター９１２（フィルター）と、１階側メンテナンス用扉９１３（メンテナンス用扉）と、を有する。
【００９１】
１階側吸気用気密空間９１１は、左右方向において１階の１階水回り空間１１１と１階廊下空間１１２との間に配置される１階側配管スペース１３１（ダクト配置可能空間）を利用して設けられる。１階側吸気用気密空間９１１は、１階側配管スペース１３１を含んで上下方向に延びて構成される。１階側配管スペース１３１の内部の空間には、空気を送るダクトを配置することが可能である。１階側配管スペース１３１に１階側吸気用気密空間９１１を設けた状態においても、１階側配管スペース１３１に配置される１階側吸気用気密空間９１１には、空気を送るダクトを配置することが可能である。
【００９２】
１階側吸気用気密空間９１１は、上下方向に延びて形成され、上下方向において、床下空間１１４の途中から１階側配管スペース１３１の途中まで延びる。１階側吸気用気密空間９１１は、気密性を有して構成され、１階側吸気用気密空間９１１には、下方側に接続される１階側循環ファン吸気口４６により吸引された空気が、上方側に接続される１階側循環吸気ダクトＬ３１に向けて流通される。
【００９３】
１階側吸気用気密空間９１１は、例えば、上下方向に延びる筒状に形成され、後述する１階側メンテナンス用扉９１３を開けることで、１階側吸気用気密空間９１１の内部を清掃可能に構成される。１階側吸気用気密空間９１１は、１階側配管スペース１３１を利用して構成されているため、ダクトの開口面積と比べて大きな開口面積を有する筒状に形成される。１階側吸気用気密空間９１１は、後述する１階側メンテナンス用扉９１３を開けることで、例えば、メンテナンス作業者が清掃具を用いて、すす払い等を行うことができる大きさで構成されている。
【００９４】
１階側吸気用気密空間９１１の下端部には、１階側循環吸気ダクトＬ３１が接続されている。１階側循環吸気ダクトＬ３１は、一方側が１階側吸気用気密空間９１１に接続され、他方側が、切替部８及び共通循環吸気ダクトＬ３３を介して、空調装置２に接続される。
【００９５】
１階側循環吸気ダクトＬ３１の一方側は、１階側循環吸気ダクトＬ３１の一方側の端部が、１階側吸気用気密空間９１１の下端部を貫通して１階側吸気用気密空間９１１の内部において開口した状態で、１階側吸気用気密空間９１１の下端部に接続されている。１階側循環吸気ダクトＬ３１の一方側の端部は、１階側吸気用気密空間９１１の内部において上方側に向けて開口している。１階側循環吸気ダクトＬ３１は、本実施形態においては、メンテナンス用ダクトを構成し、１階側吸気用気密空間９１１の内部において上方側に開口する端部には、１階側フィルター９１２が取り付けられている。
【００９６】
１階側循環ファン吸気口４６は、１階側吸気用気密空間９１１と住宅１０内の床下空間１１４とを連通するように配置される。１階側循環ファン吸気口４６は、前述の通り、住宅１０内の断熱区画１８における最下部の近傍の床下空間１１４に配置される。１階側循環ファン吸気口４６は、住宅１０内の空気を空調装置２に循環させるために、床下空間１１４の空気を吸引する。
【００９７】
１階側フィルター９１２は、１階側吸気用気密空間９１１の内部において、１階側循環吸気ダクトＬ３１の１階側吸気用気密空間９１１側の端部側の開口を覆うように配置される。１階側フィルター９１２は、１階側吸気用気密空間９１１を流通して１階側循環吸気ダクトＬ３１に流れ込む空気に含まれる粉塵などの異物を捕捉する。１階側フィルター９１２は、１階側メンテナンス用扉９１３を開けた状態において、交換などのメンテナンスが可能なように、１階側循環吸気ダクトＬ３１の１階側吸気用気密空間９１１側の端部の開口に取り付けられている。
【００９８】
１階側メンテナンス用扉９１３は、１階側吸気用気密空間９１１を開閉可能に構成され、１階廊下空間１１２の一方側壁面１１２ａの下方側に配置される。１階側メンテナンス用扉９１３が１階廊下空間１１２の一方側壁面１１２ａの下方側に配置されるため、手が届く範囲であり、メンテナンス作業者が１階側メンテナンス用扉９１３を開閉しやすい。また、１階側メンテナンス用扉９１３は、メンテナンス作業者が１階側フィルター９１２の交換などのメンテナンスを行うことが可能な位置及び大きさに形成される。また、１階側メンテナンス用扉９１３は、メンテナンス作業者が１階側吸気用気密空間９１１の内部を清掃できる位置及び大きさに形成される。
【００９９】
また、２階側空調メンテナンス構造９２は、２階側吸気用気密空間９２１（吸気用気密空間）と、２階側循環吸気ダクトＬ３２（メンテナンス用ダクト）と、２階側循環ファン吸気口５５Ｃ（吸気口）と、２階側フィルター９２２（フィルター）と、２階側メンテナンス用扉９２３（メンテナンス用扉）と、を有する。
【０１００】
２階側吸気用気密空間９２１は、左右方向において２階の２階収納空間１２１と２階第１居住空間１２２との間に配置される２階側配管スペース１３３（ダクト配置可能空間）を利用して設けられる。２階側吸気用気密空間９２１は、２階側配管スペース１３３を含んで上下方向に延びて構成される。２階側配管スペース１３３の内部の空間には、空気を送るダクトを配置することが可能である。２階側配管スペース１３３に２階側吸気用気密空間９２１を設けた状態においても、２階側配管スペース１３３に配置された２階側吸気用気密空間９２１には、空気を送るダクトを配置することが可能である。本実施形態においては、２階側配管スペース１３３に配置された２階側吸気用気密空間９２１には、２階側導入ダクトＬ１６と、２階側排気合流ダクトＬ２７と、２階収納空間側排気ダクトＬ２５と、が貫通して配置されている。
【０１０１】
２階側吸気用気密空間９２１は、上下方向に延びて形成され、２階側配管スペース１３３の下部に形成される連通路１２６の上端部から、屋根側断熱ライン１８１の下端部まで延びる。２階側吸気用気密空間９２１は、気密性を有して構成され、２階側吸気用気密空間９２１には、上方側に接続される２階側循環ファン吸気口５５Ｃにより吸引された空気が、下方側に接続される２階側循環吸気ダクトＬ３２に向けて流通される。
【０１０２】
２階側吸気用気密空間９２１は、例えば、上下方向に延びる筒状に形成され、後述する２階側メンテナンス用扉９２３を開けることで、２階側吸気用気密空間９２１の内部を清掃可能に構成される。２階側吸気用気密空間９２１は、２階側配管スペース１３１を利用して構成されているため、ダクトの開口面積と比べて大きな開口面積を有する筒状に形成される。２階側吸気用気密空間９２１の内部は、後述する２階側メンテナンス用扉９２３を開けることで、例えば、メンテナンス作業者が清掃具を用いて、すす払い等を行うことができる大きさで構成されている。
【０１０３】
２階側吸気用気密空間９２１の下端部には、２階側循環吸気ダクトＬ３２が接続されている。２階側循環吸気ダクトＬ３２は、一方側が２階側吸気用気密空間９２１に接続され、他方側が、切替部８及び共通循環吸気ダクトＬ３３を介して、空調装置２に接続される。
【０１０４】
２階側循環吸気ダクトＬ３２の一方側は、２階側循環吸気ダクトＬ３２の一方側の端部が、２階側吸気用気密空間９２１の下端部を貫通して２階側吸気用気密空間９２１の内部において開口した状態で、２階側吸気用気密空間９２１の下端部に接続されている。２階側循環吸気ダクトＬ３２の一方側の端部は、２階側吸気用気密空間９２１の内部において上方側に向けて開口している。２階側循環吸気ダクトＬ３２は、本実施形態においては、メンテナンス用ダクトを構成し、２階側吸気用気密空間９２１の内部において上方側に開口する端部には、２階側フィルター９２２が取り付けられている。
【０１０５】
２階側循環ファン吸気口５５Ｃは、２階側吸気用気密空間９２１と住宅１０内の屋根裏空間１２５とを連通するように配置される。２階側循環ファン吸気口５５Ｃは、前述の通り、住宅１０内の断熱区画１８における最上部の近傍の屋根裏空間１２５に配置される。２階側循環ファン吸気口５５Ｃは、住宅１０内の空気を空調装置２に循環させるために、屋根裏空間１２５の空気を吸引する。
【０１０６】
２階側フィルター９２２は、２階側吸気用気密空間９２１の内部において、２階側循環吸気ダクトＬ３２の２階側吸気用気密空間９２１側の端部側の開口を覆うように配置される。２階側フィルター９２２は、２階側吸気用気密空間９２１を流通して２階側循環吸気ダクトＬ３２に流れ込む空気に含まれる粉塵などの異物を捕捉する。２階側フィルター９２２は、２階側メンテナンス用扉９２３を開けた状態において、交換などのメンテナンスが可能なように、２階側循環吸気ダクトＬ３２の２階側吸気用気密空間９２１側の端部の開口に取り付けられている。
【０１０７】
２階側メンテナンス用扉９２３は、２階側吸気用気密空間９２１を開閉可能に構成され、２階第１居住空間１２２の一方側壁面１２２ａの下方側に配置される。２階側メンテナンス用扉９２３が２階第１居住空間１２２の一方側壁面１２２ａの下方側に配置されるため、手が届く範囲であり、メンテナンス作業者が２階側メンテナンス用扉９２３を開閉しやすい。また、２階側メンテナンス用扉９２３は、メンテナンス作業者が２階側フィルター９２２の交換などのメンテナンスを行うことが可能な位置及び大きさに形成される。また、２階側メンテナンス用扉９２３は、メンテナンス作業者が２階側吸気用気密空間９２１の内部を清掃できる位置及び大きさに形成される。
【０１０８】
以上のように構成される１階側空調メンテナンス構造９１及び２階側空調メンテナンス構造９２は、空調システム１のフィルター（１階側フィルター９１２、２階側フィルター９２２）のメンテナンス作業を容易に行うことができる。
従来、吸気口にフィルターが取り付けられている構成において、吸気口が高い位置や、床下に配置されている場合には、高い位置まで登ったり、床下を覗き込んだりしてメンテナンス作業を行うため、フィルターの交換などのメンテナンスを行うことが難しかった。
これに対して、本発明においては、メンテナンス用扉（１階側メンテナンス用扉９１３、２階側メンテナンス用扉９２３）を開けることで、フィルター（１階側フィルター９１２、２階側フィルター９２２）の交換や、吸気用気密空間（１階側吸気用気密空間９１１、２階側吸気用気密空間９２１）の内部の清掃などのメンテナンス作業を容易に行うことができる。
【０１０９】
第４実施形態の空調メンテナンス構造９によれば、以下のような効果を奏する。
本実施形態の１階側空調メンテナンス構造９１は、１階側配管スペース１３１に設けられ気密性を有する１階側吸気用気密空間９１１と、一方側が１階側吸気用気密空間９１１内に開口した状態で１階側吸気用気密空間９１１に接続されると共に、他方側が空調装置２に接続される１階側循環吸気ダクトＬ３１と、１階側吸気用気密空間９１１と住宅１０内の空間とを連通するように配置される１階側循環ファン吸気口４６と、１階側吸気用気密空間９１１の内部において、１階側循環吸気ダクトＬ３１における１階側吸気用気密空間９１１側の端部側の開口を覆うように配置される１階側フィルター９１２と、１階側吸気用気密空間９１１を開閉可能に構成され、１階側フィルター９１２のメンテナンスを行うことが可能な位置に配置される１階側メンテナンス用扉９１３と、を備える。また、２階側空調メンテナンス構造９２は、２階側配管スペース１３３に設けられ気密性を有する２階側吸気用気密空間９２１と、一方側が２階側吸気用気密空間９２１内に開口した状態で２階側吸気用気密空間９２１に接続されると共に、他方側が空調装置２に接続される２階側循環吸気ダクトＬ３２と、２階側吸気用気密空間９２１と住宅１０内の空間とを連通するように配置される２階側循環ファン吸気口５５Ｃと、２階側吸気用気密空間９２１の内部において、２階側循環吸気ダクトＬ３２における２階側吸気用気密空間９２１側の端部側の開口を覆うように配置される２階側フィルター９２２と、２階側吸気用気密空間９２１を開閉可能に構成され、２階側フィルター９２２のメンテナンスを行うことが可能な位置に配置される２階側メンテナンス用扉９２３と、を備える。
【０１１０】
そのため、メンテナンス用扉（１階側メンテナンス用扉９１３、２階側メンテナンス用扉９２３）を開けた場合に手が届く範囲にフィルター（１階側フィルター９１２、２階側フィルター９２２）を配置したため、メンテナンス用扉（１階側メンテナンス用扉９１３、２階側メンテナンス用扉９２３）を開けることで、フィルター（１階側フィルター９１２、２階側フィルター９２２）の交換や、吸気用気密空間（１階側吸気用気密空間９１１、２階側吸気用気密空間９２１）の内部の清掃などのメンテナンス作業を容易に行うことができる。
【０１１１】
また、本実施形態においては、１階側循環ファン吸気口４６は、床下空間１１４に配置され、２階側循環ファン吸気口５５Ｃは、屋根裏空間１２５に配置される。床下空間１１４や屋根裏空間１２５にフィルターが配置されている場合には、手が届きにくいため、フィルターを交換するメンテナンス作業が困難である。これに対して、本発明の構成によれば、メンテナンス用扉（１階側メンテナンス用扉９１３、２階側メンテナンス用扉９２３）を開けることで、フィルター（１階側フィルター９１２、２階側フィルター９２２）の交換や、吸気用気密空間（１階側吸気用気密空間９１１、２階側吸気用気密空間９２１）の内部の清掃などのメンテナンス作業を容易に行うことができる。
【０１１２】
＜第５実施形態＞
次に、本発明の第５実施形態について説明する。図６は、本発明の第５実施形態に係る空調システム１Ｄを備える住宅１０Ａにおいて暖房時及び冷房時の状態を示す図である。
第５実施形態の住宅１０Ａは、第４実施形態の住宅１０と比べて、断熱区画１８Ａが異なり、第２実施形態の図３に示す住宅１０Ａの断熱区画１８Ａと同様である。また、第５実施形態は、１階側循環ファン吸気口４６及び２階側循環ファン吸気口５５Ｄの配置位置が、第４実施形態の１階側循環ファン吸気口４６及び２階側循環ファン吸気口５５Ｃと異なる。第５実施形態において、第２実施形態及び第４実施形態と同様の構成については、同様の符号を付して説明を省略する。なお、第５実施形態の図でも、第４実施形態の図５と同様に、暖房時及び冷房時の空気の流れを、１つの図に示している。
【０１１３】
第５実施形態の空調システム１Ａは、第４実施形態の１階に設けられる１階側空調メンテナンス構造９１に関する構成を有しておらず、第５実施形態の２階側空調メンテナンス構造９２Ａの構成は、第１実施形態の２階側空調メンテナンス構造９２の構成と異なる。
【０１１４】
第５実施形態においては、１階側循環ファン吸気口４６Ｂは、第３実施形態の図４と同様に、１階の１階側配管スペース１３１の下方側の床１６（仕上げ部）の近傍に配置される。１階側循環ファン吸気口４６Ｂは、１階廊下空間１１２の一方側壁面１１２ａの下方側に配置される。１階側循環ファン吸気口４６Ｂには、フィルター（図示せず）が取り付けられており、手が届く範囲であるため、１階側循環ファン吸気口４６Ｂのフィルターのメンテナンスを容易に行うことができる。
【０１１５】
また、２階側空調メンテナンス構造９２Ａの構成に関して、２階側吸気用気密空間９２１Ａの上端部が、２階第１居住空間１２２の天井面までしか延びておらず、２階側循環ファン吸気口５５Ｄは、２階第１居住空間１２２（居住空間）の一方側壁面１２２ａの上方側の２階第１居住空間１２２の天井（仕上げ部）近傍に配置される。
【０１１６】
第５実施形態においては、２階側循環ファン吸気口５５Ｄは、２階第１居住空間１２２の上方側に配置される。２階第１居住空間１２２の上方側にフィルターが配置されている場合には、手が届きにくいため、フィルターを交換するメンテナンス作業が困難である。これに対して、本発明の構成によれば、２階側メンテナンス用扉９２３を開けることで、２階側フィルター９２２の交換や、２階側吸気用気密空間９２１Ａの内部の清掃などのメンテナンス作業を容易に行うことができる。
【０１１７】
＜第６実施形態＞
次に、本発明の第６実施形態について説明する。図７は、本発明の第６実施形態を示す空調システム１Ｅを備える住宅１０Ａであって、空調装置と換気装置と切替部とを、空調ユニット４として一体で構成した場合を示す図である。
第６実施形態の住宅１０Ａの断熱区画１８Ａは、第２実施形態の図３に示す住宅１０Ａの断熱区画１８Ａと同様である。
【０１１８】
空調システム１Ｅは、前記実施形態における空調装置２、換気装置３及び切替部８に代えて、空調ユニット４を備える。第６実施形態においては、空調ユニット４として、前記実施形態の空調装置と換気装置と切替部とを一体化させて構成している。空調ユニット４は、前記実施形態における空調装置２の冷房機能及び換気機能、換気装置３の換気機能、及び切替部８の切り替え機能を有する。前記実施形態の切替部８の切り替え機能は、空調ユニット４に内蔵され、空調ユニット４に導入される住宅１０内の空気を、１階側循環ファン吸気口４６Ｂを介して導入される冷たい空気、又は、２階側循環ファン吸気口５５Ａを介して導入される暖かい空気のいずれか一方に切り替え可能である。
【０１１９】
空調ユニット４は、１階側配管スペース１３１に配置される。空調システム１Ｅには、空調ユニット４と１階側配管スペース１３１とを連通する１階側循環ファン吸気口４６Ｂが設けられている。１階側循環ファン吸気口４６Ｂは、第３実施形態の図４と同様に、１階廊下空間１１２の一方側壁面１１２ａの下方側の床１６（断熱区画１８Ａ、仕上げ部）の近傍に配置される。１階側循環ファン吸気口４６Ｂは、１階廊下空間１１２の一方側壁面１１２ａの下方側の床１６の近傍の空気を吸引して、吸引した空気を空調ユニット４に導入させる。
【０１２０】
また、空調システム１Ｅは、空気を流通させる構成として、第１給気用チャンバ７１と、第２給気用チャンバ７２と、Ｙ字管７３と、第１排気用チャンバ７４と、第２排気用チャンバ７５と、給気ダクトＬ１Ａと、排気ダクトＬ２Ａと、循環吸気ダクトＬ３Ａと、を有する。
【０１２１】
給気ダクトＬ１Ａは、住宅１０外の空気を空調ユニット４に導入し、空調ユニット４の暖房機能により暖められた空気又は冷房機能により冷やされた空気を、１階リビング空間１１３、２階第１居住空間１２２、及び２階第２居住空間１２４に供給するための配管である。給気ダクトＬ１Ａは、空調ユニットダクトＬ１１Ａと、１階側導入ダクトＬ１３と、第１給気ダクトＬ１４と、第２給気ダクトＬ１５と、２階側導入ダクトＬ１６と、第３給気ダクトＬ１７と、第４給気ダクトＬ１８と、を有する。
【０１２２】
空調ユニットダクトＬ１１Ａは、住宅１０外からの空気を空調ユニット４に導入する配管である。第１給気ダクトＬ１４、第２給気ダクトＬ１５、第３給気ダクトＬ１７、第４給気ダクトＬ１８、第１給気用チャンバ７１及び第２給気用チャンバ７２の構成は、第１実施形態と同様である。本実施形態は、第１実施形態の空調装置導入ダクトＬ１２に相当するダクトを備えていない。
【０１２３】
１階側導入ダクトＬ１３は、空調ユニット４から第１給気用チャンバ７１までの配管である。
２階側導入ダクトＬ１６は、空調ユニット４から第２給気用チャンバ７２までの配管である。
【０１２４】
排気ダクトＬ２Ａは、１階側水回り空間１１１内の空気、１階廊下空間１１２内の空気、１階リビング空間１１３内の空気、２階収納空間１２１内の空気、及び２階廊下空間１２３の空気を、住宅１０外に排出するための配管である。排気ダクトＬ２Ａは、１階水回り側排気ダクトＬ２１と、１階廊下側排気ダクトＬ２２と、１階リビング側排気ダクトＬ２３と、１階側排気合流ダクトＬ２４と、２階収納空間側排気ダクトＬ２５と、２階廊下側排気ダクトＬ２６と、２階側排気合流ダクトＬ２７と、全排気合流ダクトＬ２８Ａと、排気排出ダクトＬ２９Ａと、を有する。
【０１２５】
１階水回り側排気ダクトＬ２１、１階廊下側排気ダクトＬ２２、１階リビング側排気ダクトＬ２３、１階側排気合流ダクトＬ２４、２階収納空間側排気ダクトＬ２５、２階廊下側排気ダクトＬ２６、２階側排気合流ダクトＬ２７、Ｙ字管７３、第１排気用チャンバ７４及び第２排気用チャンバ７５の構成は、第１実施形態と同様である。
【０１２６】
全排気合流ダクトＬ２８Ａは、Ｙ字管７３から空調ユニット４までの配管である。
排気排出ダクトＬ２９Ａは、空調ユニット４から排出された空気を住宅１０の外部に排出する配管である。
【０１２７】
循環吸気ダクトＬ３Ａは、断熱区画１８Ａの最下部の近傍の冷たい空気又は断熱区画１８Ａの最上部の近傍の暖かい空気を空調ユニット４に循環させる配管である。循環吸気ダクトＬ３Ａは、２階側循環吸気ダクトＬ３２Ａを有する。循環吸気ダクトＬ３Ａは、第１実施形態の１階側循環吸気ダクトＬ３１及び共通循環吸気ダクトＬ３３を備えていない。
【０１２８】
２階側循環吸気ダクトＬ３２Ａは、２階側循環ファン吸気口５５Ａから空調ユニット４までの配管であり、２階側循環ファン吸気口５５Ａから吸気された空気を空調ユニット４まで流通させる。
第６実施形態においては、第１実施形態の１階側循環吸気ダクトＬ３１及び共通循環吸気ダクトＬ３３は、空調ユニット４に内蔵されている。
【０１２９】
次に、本実施形態の空調システム１Ｅの動作について説明する。本実施形態の空調システム１Ｅを冬季に使用する場合及び夏季に使用する場合について説明する。
【０１３０】
まず、空調システム１Ｅを冬季に使用する場合について説明する。
空調システム１を冬季に使用する場合には、空調ユニット４の換気機能及び熱交換機能を機能させながら、暖房機能を機能させると共に、内蔵された切替部を１階側空気吸引状態に切り替える。
【０１３１】
空調ユニット４には、住宅１０外の空気が導入され、切替部を１階側空気吸引状態に切り替えることで、１階側循環ファン吸気口４６Ｂを介して断熱区画１８Ａの最下部の近傍の冷たい空気が導入される。空調ユニット４は、導入された空気と、１階側循環ファン吸気口４６Ｂを介して導入された空気とを、暖房機能により暖房して、所定の各空間１１３，１２２，１２４に供給する。
【０１３２】
次に、空調システム１を夏季に使用する場合について説明する。
空調システム１を夏季に使用する場合には、空調ユニット４の換気機能及び熱交換機能を機能させながら、冷房機能を機能させると共に、内蔵された切替部を２階側空気吸引状態に切り替える。
【０１３３】
空調ユニット４には、住宅１０外の空気が導入され、切替部を２階側空気吸引状態に切り替えることで、２階側循環ファン吸気口５５Ａを介して断熱区画１８の最上部近傍の空気が導入される。空調ユニット４は、導入された空気と、２階側循環ファン吸気口５５Ａを介して導入された空気とを、冷房機能により冷房して、所定の各空間１１３，１２２，１２４に供給する。
【０１３４】
第６実施形態においては、第１実施形態〜第５実施形態における空調装置２、換気装置３及び切替部８を一体に構成した空調ユニット４を備え、空調ユニット４は、１階側配管スペース１３１に配置される。第６実施形態においても、第１実施形態〜第５実施形態と同様の効果を奏する。
【０１３５】
以上、本発明の空調システムの好ましい一実施形態について説明したが、本発明は、上述した実施形態に制限されるものではなく、適宜変更が可能である。
【０１３６】
例えば、前記実施形態においては、１階側循環ファン吸気口（第１吸気口）を介して１階の最下部の冷たい空気を空調装置に導入させ、又は、２階側循環ファン吸気口（第２吸気口）を介して２階の最上部の暖かい空気を空調装置に導入させるように構成したが、これに限定されない。例えば、マンションの一室において、暖房機能を機能させる場合において、第１吸気口を住宅内における最北部の近傍に配置し、冷房機能を機能させる場合において、第２吸気口を住宅内における最南部の近傍に配置してもよい。
住宅内における最北部又は最南部の近傍は、住宅内の最北部又は最南部から１ｍ内側の位置までの範囲内であることが好ましく、住宅内の最北部又は最南部から５０ｃｍ内側の位置までの範囲内であることがより好ましい。住宅内の最北部又は最南部の近傍は、従来、空調装置２の効きが悪いとされる場所である。
【０１３７】
また、前記実施形態においては、２階建て住宅１０において、暖房機能を機能させる場合において、最下階の最下部の近傍に、１階側循環ファン吸気口（第１吸気口）を配置し、最上階の最上部の近傍に、２階側循環ファン吸気口（第２吸気口）を配置したが、これに限定されない。例えば、平屋建ての住宅、３階建て以上の住宅、複数階建ての住宅における各階、マンションの一室において、暖房機能を機能させる場合に、平屋建て、複数階建ての最下階、複数階建ての住宅の各階又はマンションの一室の最下部の近傍に第１吸気口を配置し、冷房機能を機能させる場合に、平屋建て、複数階建ての最下階、複数階建ての住宅の各階又はマンションの一室の最下部の近傍に第２吸気口を配置してもよい。
【０１３８】
また、前記第１実施形態においては、断熱区画１８の最下部の近傍に１階側循環ファン吸気口（第１吸気口）を配置し、断熱区画１８の最上部の近傍に２階側循環ファン吸気口（第２吸気口）を配置したが、これに限定されない。前記第１実施形態において、１階の居住空間又は非居住空間の最下部に配置される仕上げ面（仕上げ部）を構成する住宅１０の１階の床１６の近傍に１階側循環ファン吸気口（第１吸気口）を配置してもよいし、２階の居住空間又は非居住空間の最下部に配置される仕上げ面（仕上げ部）を構成する住宅１０の２階の床１７の近傍に２階側循環ファン吸気口（第２吸気口）を配置してもよいし、各空間１１１，１１２，１１３，１２１，１２２，１２３，１２４の最上部の仕上げ面（仕上げ部）を構成する各空間１１１，１１２，１１３，１２１，１２２，１２３，１２４の各天井の近傍に吸気口を配置してもよい。
【０１３９】
また、前記実施形態においては、空調装置２が暖房機能及び冷房機能の両方を備えていたが、これに限定されない。空調装置２は、暖房機能又は冷房機能のいずれか一方のみを備えていてもよい。
【０１４０】
また、前記実施形態においては、空調システム１に換気装置３を備えて構成したが、これに限定されず、換気装置３を備えずに構成してもよい。
【０１４１】
また、前記実施形態においては、換気装置３の換気方式を、給気及び排気の両方を換気ファン（機械ファン）で行う第１種換気方式としたが、これに限定されず、排気を換気ファン（機械ファン）で行い、かつ、給気を自然給気で行う第３種換気方式としてもよい。
【０１４２】
また、前記実施形態においては、空調装置２及び換気装置３を１階と２階との間の空間に配置したが、空調装置２及び換気装置３が配置される位置は、限定されない。空調装置２を、例えば、床下空間１１４や床１６上に配置してもよいし、屋根裏空間１２５や２階上部側配管スペース１３４に配置してもよい。空調装置２を床１６上に配置する場合には、空調装置２の下部に吸気口を設けることで、空調装置２により暖房する場合に、床１６近傍の冷たい空気を吸引するように構成してもよい。
【０１４３】
また、前記実施形態においては、１階側循環吸気ダクトＬ３１（メンテナンス用ダクト）及び２階側循環吸気ダクトＬ３２（メンテナンス用ダクト）を、切替部８及び共通循環吸気ダクトＬ３３を介して、空調装置２に間接的に接続したが、これに限定されない。１階側循環吸気ダクトＬ３１（メンテナンス用ダクト）及び２階側循環吸気ダクトＬ３２（メンテナンス用ダクト）を、空調装置２に直接的に接続してもよい。
【符号の説明】
【０１４４】
１，１Ｂ，１Ｃ，１Ｄ，１Ｅ  空調システム
２  空調装置
３  換気装置
４  空調ユニット
８  切替部
９  空調メンテナンス構造
１０，１０Ａ  住宅
１８，１８Ａ  断熱区画
４６，４６Ａ，４６Ｂ  １階側循環ファン吸気口（第１吸気口）
５５，５５Ａ，５５Ｂ，５５Ｃ  ２階側循環ファン吸気口（第２吸気口）
９１  １階側空調メンテナンス構造
９２  ２階側空調メンテナンス構造
１１４  床下空間（床下）
１２５  屋根裏空間（屋根裏）
１３１  １階側配管スペース（ダクト配置可能空間）
１３３  ２階側配管スペース（ダクト配置可能空間）
９１１  １階側吸気用気密空間（吸気用気密空間）
９１２  １階側フィルター（フィルター）
９１３  １階側メンテナンス用扉（メンテナンス用扉）
９２１  ２階側吸気用気密空間（吸気用気密空間）
９２２  ２階側フィルター（フィルター）
９２３  ２階側メンテナンス用扉（メンテナンス用扉）
Ｌ３１  １階側循環吸気ダクト（メンテナンス用ダクト）
Ｌ３２  ２階側循環吸気ダクト（メンテナンス用ダクト）
【図１】
2020079666.tif 000003
【図２】
2020079666.tif 000004
【図３】
2020079666.tif 000005
【図４】
2020079666.tif 000006
【図５】
2020079666.tif 000007
【図６】
2020079666.tif 000008
【図７】
2020079666.tif 000009